(57)【要約】【課題】有機ＥＬ素子から構成される発光表示部がファインダー内に設けられるファインダー装置において、簡単な構成でファインダー内に補助線を描く。【解決手段】電源部から各発光部（発光部２５Ｐ等）に、陽極線２６及び陰極線２７を延ばす。各発光部は有機発光材料を含む有機ＥＬ層によって構成される。各陽極線２６及び陰極線２７は有機ＥＬ層に電圧を印加するための電極線である。陽極線２６及び陰極線２７を、規則的に配列し、垂直補助線Ｖ、対角補助線Ｄ１、Ｄ２、及び水平補助線Ｈを形成する。【選択図】図３
2007333874.tif 000002
【特許請求の範囲】
【請求項１】
透明基板と、前記透明基板上に設けられ、有機発光材料を含む有機ＥＬ層で構成される発光部と、前記発光部に電圧を印加するために、電源部から前記発光部に延ばされるように、前記透明基板上に配線される電極線とを備え、前記発光部に電圧が印加されると、前記発光部が発光し、この発光により表示を行う発光表示部を、ファインダー内に形成するファインダー装置であって、
前記電極線は、構図決定用の補助線としてファインダーの撮影視野領域の全体に規則的に配列することを特徴とするファインダー装置。
【請求項２】
前記補助線の少なくとも一部は、２本以上の前記電極線が並行して延びることにより形成されることを特徴とする請求項１に記載のファインダー装置。
【請求項３】
前記補助線のうち一部の補助線は、他の一部の補助線とは異なる本数の電極線によって形成されるとともに、前記一部の補助線の幅は前記他の一部の補助線の幅と同一であることを特徴とする請求項２に記載のファインダー装置。
【請求項４】
前記補助線は、１本の前記電極線で構成される第１の補助線と、並列して延びる２本の前記電極線で構成される第２の補助線と、並列して延びる３本の前記電極線で構成される第３の補助線とを含み、前記第１乃至第３の補助線の幅が同一であることを特徴とする請求項１に記載のファインダー装置。
【請求項５】
前記電極線は、透明電極線であることを特徴とする請求項１に記載のファインダー装置。
【請求項６】
前記電極線は、透明電極線の上に塗料または非透明金属が被膜されて構成される特徴とする請求項１に記載のファインダー装置。
【請求項７】
前記構図決定用の補助線の一部が、前記発光部に接続されない偽電極線によって形成されることを特徴とする請求項１に記載のファインダー装置。
【請求項８】
前記構図決定用の補助線は、前記撮影視野領域において、上下方向又は左右方向に対称であることを特徴とする請求項１に記載のファインダー装置。
【請求項９】
前記構図決定用の補助線は、前記撮影視野領域において、水平方向及び垂直方向に延びることを特徴とする請求項１に記載のファインダー装置。
【請求項１０】
前記構図決定用の補助線は、前記撮影視野領域の対角線として形成されることを特徴とする請求項１に記載のファインダー装置。
【請求項１１】
前記構図決定用の補助線は、黄金分割線を描くことを特徴とする請求項１に記載のファインダー装置。
【請求項１２】
前記有機ＥＬ層は、前記透明基板上に設けられた第１の電極端子部の上に重ねられて積層されるとともに、前記有機ＥＬ層上にはさらに第２の電極端子部が重ねられて積層され、
前記第１及び第２の電極端子部は、それぞれ異なる前記電極線に接続されることを特徴とする請求項１に記載のファインダー装置。
【発明の詳細な説明】
【技術分野】
【０００１】
本発明は、ファインダー装置、及びそれを備えたカメラ等の光学機器に関する。
【背景技術】
【０００２】
従来、一眼レフカメラにおいて、ペンタプリズムと焦点板の間の被写体結像位置近傍に有機エレクトロルミネセンス素子（以下、有機ＥＬ素子という）が配置されることが知られている。この有機ＥＬ素子は、視野枠内に設けられたフォーカスフレーム等の各種フレームの形状に沿うように有機発光層を積層し、これにより上記フレームを発光させている（特許文献１参照）。
【０００３】
上記ファインダー装置では、有機発光層に重ねられて設けられる電極部が、非透明材料から成る非透明電極部に形成されるとともに、有機発光層を電源に接続するために有機発光層から延出される電極線が、透明材料から成る透明電極部に形成される。
【０００４】
このような構成によれば、フレームに沿う部分が、非透明電極によって遮光されるため、有機発光層を発光させなくても、フレーム部分が観察者によって認識される。したがって、特許文献１に開示されたファインダー装置では、フレーム枠をケガキ線によって焦点板上等に描写する必要がなくなる。また、透明電極部は、被写体からの光を透過するので、透明電極部が設けられた部分を用いて被写体観察をすることができる。
【０００５】
また、特許文献２には、電子ファインダーに表示される観察画像の上に、所定のグリッド線や黄金分割線を重畳させて表示させることが開示されている。また、従来焦点板上にケガキ線等を設け、撮影視野領域にグリッド線や黄金分割線が表示されるようにした一眼レフカメラが広く知られている。これらグリッド線や黄金分割線は、被写体の構図を決定するための補助線として用いられ、これにより撮影者は良好な構図を比較的簡単に得ることができる。
【特許文献１】特許第３５３９２５１号公報
【特許文献２】特開２００２−２９０７８０号公報
【発明の開示】
【発明が解決しようとする課題】
【０００６】
しかし、特許文献１に記載されるファインダー装置において、有機発光層から延出される透明電極部は、被写体からの光を透過することはできるが、完全に透過できるわけではなく、撮影者によってその存在が認識され、被写体観察の妨げとなる。
【０００７】
一方、上述したように、グリッド線や黄金分割線等の補助線を、撮影視野領域内に設けることは知られているが、従来これら補助線を表示するためには、焦点板にケガキ線を設けたり、電子ファインダーを用いたりしなければならなかった。
【０００８】
そこで、本発明は、上記問題点に鑑みて成されたものであり、有機ＥＬ素子から構成される発光表示部がファインダー内に形成されるファインダー装置において、有機発光層から延出される透明電極部が被写体観察の妨げとならないようにすることを目的としたものである。また、上記ファインダー装置において、構図決定のための補助線を特別な構成を採らなくても表示することができるファインダー装置を提供することを目的とするものである。
【課題を解決するための手段】
【０００９】
本発明に係るファインダー装置は、透明基板と、透明基板上に設けられ、有機発光材料を含む有機ＥＬ層で構成される発光部と、発光部に電圧を印加するために、電源部から発光部に延ばされるように、透明基板上に配線される電極線とを備え、発光部に電圧が印加されると、発光部が発光し、この発光により表示を行う発光表示部を、ファインダー内に形成するファインダー装置であって、電極線は、構図決定用の補助線としてファインダーの撮影視野領域の全体に規則的に配列することを特徴とする。
【００１０】
各補助線のうち少なくとも一部は、２本以上の電極線が並行して延びることにより形成されることが好ましい。この場合、例えば補助線のうち一部の補助線は、他の一部の補助線とは異なる本数の電極線で形成され、一部の補助線の幅は他の一部の補助線の幅と同一であったほうが良い。
【００１１】
構図決定のための補助線は、例えば、１本の電極線で構成される第１の補助線と、並列して延びる２本の電極線で構成される第２の補助線と、並列して延びる３本の電極線で構成される第３の補助線とを含み、第１乃至第３の補助線の幅が同一であったほうが良い。
【００１２】
電極線は、透明電極線であるほうが良いが、勿論透明電極線の上に塗料または非透明金属が被膜されて構成されても良い。
【００１３】
さらに、発光部に接続される電極だけでは所望の補助線が描けない場合、構図決定用の補助線の一部が、発光部に接続されない偽電極線によって形成されても良い。
【００１４】
構図決定用の補助線は、例えば、撮影視野領域において、上下方向又は左右方向に対称である。また、撮影視野領域において、水平方向及び垂直方向に延びる。また例えば、撮影視野領域の対角線として形成される。そして好ましくは、構図決定用の補助線の一部は、黄金分割線を描く。
【００１５】
有機ＥＬ層は、透明基板上に設けられた第１の電極端子部の上に重ねられて積層されるとともに、有機ＥＬ層上にはさらに第２の電極端子部が重ねられて積層され、第１及び第２の電極端子部は、それぞれ異なる電極線に接続されることが好ましい。
【発明の効果】
【００１６】
以上のように、本発明では、従来被写体観察を妨げていた透明電極線が、規則的に補助線として配列されることにより、透明電極線を目立たなくすることができるとともに、簡単な構成で構図決定用補助線を描くことができる。
【発明を実施するための最良の形態】
【００１７】
以下本発明の実施形態について図面を用いて詳細に説明する。
図１は、本実施形態が適用された一眼レフカメラのファインダー装置を示す。なお、以下の説明においては、ファインダー装置が一眼レフカメラに適用された場合を説明するが、本発明は、顕微鏡、コンパクトカメラ等のその他の光学機器にも適用することが可能である。
【００１８】
ファインダー装置１０は、対物レンズ１１と、クイックリターンミラー１２と、ピント板１３と、ペンタプリズム１４と、接眼レンズ１５と、発光表示部１６と、ファインダー窓１７とを備える。
【００１９】
被写体で反射された反射光は、対物レンズ１１を介して、クイックリターンミラー１２で反射され、ピント板１３に導かれ、ピント板１３で一旦結像される。上記反射光はさらに、ペンタプリズム１４で２回反射され、接眼レンズ１５を介してファインダー窓１７に入射され、これにより被写体像が観察される。クイックリターンミラー１２はレリーズスイッチ（不図示）が押されると、光路上から退避させられ、対物レンズ１１によって導かれた反射光は、ＣＣＤやフィルム等に導かれ、これらを露光する。
【００２０】
発光表示部１６は、有機ＥＬ素子から構成され、ピント板１３と、ペンタプリズム１４の間で、被写体からの光が通過する光路に交差する横断領域上に配置される。すなわち、発光表示部１６は被写体結像位置近傍に配設される。発光表示部１６から発せられた光も、ペンタプリズム１４、接眼レンズ１５を介してファインダー窓１７に入射される。
【００２１】
図２は、ファインダー窓１７から観察されるファインダー視野領域Ｓを示す。ファインダー視野領域Ｓは、被写体を観察するための矩形の撮影視野領域Ｆと、撮影視野領域Ｆの上下左右の外側を囲み、四角枠状に形成された情報表示領域Ｕとを備える。撮影視野領域Ｆは被写体からの反射光が入射・透過される領域であって、被写体観察に使用される。情報表示領域Ｕは、不図示の遮光マスクによって被写体からファインダー窓１７（図１参照）に入射される光が遮光される領域であると共に、透明基板３１（図４等参照）上に設けられた発光部（不図示）によって各種情報が発光表示される領域である。なお、各種情報としては、撮影に利用される露光値、撮影モードやストロボ発光の有無を示す各種シンボルマークである。
【００２２】
ファインダー窓１７からファインダー内を観察すると、撮影視野領域Ｆには、構図決定のための補助線、及び１１点の発光部が視認される。構図決定のための補助線は、撮影視野領域Ｆを均等に４分割するように、撮影視野領域Ｆの水平方向及び垂直方向に縁部から縁部まで延びる水平補助線Ｈ及び垂直補助線Ｖと、撮影視野領域Ｆの対角線となる２本の対角補助線Ｄ１、Ｄ２とから成る。これら補助線は、後述するように電極線（陽極線２６及び陰極線２７）が全体に規則的に配列されることにより形成される。
【００２３】
発光部は、撮影視野領域Ｆの中心点Ｐに１つ（発光部２５Ｐ）設けられると共に、その中心点Ｐを重心とし、横：縦比が約５：３に設定される矩形の中央付近領域Ｃの外周上に８つ設けられる。具体的には中央付近領域Ｃの各隅部に発光部２５Ｃが設けられると共に、中央付近領域Ｃの左右上下の各縁部の中央に発光部２５Ｕ、２５Ｄ、２５Ｒ１、２５Ｌ１が設けられる。
【００２４】
発光部は、中央付近領域Ｃ外にも２つ設けられ、領域Ｃの左右両側に領域Ｃを挟むように設けられる。このような構成により、発光部２５Ｃは対角補助線Ｄ１、Ｄ２上に配置されると共に、発光部２５Ｕ、２５Ｄは垂直補助線Ｖ上に配置される。また、発光部２５Ｒ１、２５Ｒ２、２５Ｌ１、２５Ｌ２は水平補助線Ｈ上に配置されると共に、発光部２５Ｐは補助線Ｈ、Ｖ、Ｄ１、Ｄ２の交差位置に配置されることとなる。なお、本実施形態では、中央付近領域Ｃの外縁には電極線が配線されておらず、黄金分割線は視認することはできない。
【００２５】
各発光部は、それぞれ独立して積層された有機ＥＬ層３３（図４、５参照）から構成され、それぞれ独立に発光可能である。本実施形態における一眼レフカメラでは、発光部は合焦ポイントとして使用される。したがって、例えばオートフォーカスで撮影が行われるとき、各発光部の位置における測距が行われ、ピントが合った位置に対応する１つの発光部が発光させられる。
【００２６】
図３は、発光表示部１６の平面図を示す。図４、５は発光表示部１６の平面図の拡大図である。図３に示すように、発光表示部１６は、上述した矩形のファインダー視野領域Ｓと、ファインダー視野領域Ｓの上下左右の外側を囲み、枠状に形成されたファインダー視野外領域Ｔから構成される。ファインダー視野領域Ｓは、上述したようにファインダー窓１７から視認可能であるが、ファインダー視野外領域Ｔはファインダー窓１７から視認することができない領域である。
【００２７】
各発光部は、透明基板３１上に設けられ、両電極端子間に挟持された有機ＥＬ層３３によって構成される。透明基板３１上には、さらに各有機ＥＬ層３３に電圧を印加するために、電源部（不図示）に接続された陽極線２６及び陰極線２７が配線されている。
【００２８】
図３に示すように、陽極線２６は１１本設けられ、それぞれ電源部（不図示）に接続されており、それぞれファインダー視野外領域Ｔ及び情報表示領域Ｕを介して、撮影視野領域Ｆ内の各発光部まで延びる。図４、５に示すように、各発光部まで延びる各陽極線２６の先端部は、略方形の陽極端子部２８に成形される。各陽極端子部２８の上方には、有機ＥＬ層３３が重ねられて積層される。有機ＥＬ層３３は、図４、５に示すように陽極端子部２８から上下左右にはみ出して積層され、その一部は透明基板３１上にも積層される。有機ＥＬ層３３の上には、さらに略矩形の陰極端子部２９が重ねられて積層される。
【００２９】
図３に示すように、陰極線２７は、撮影視野領域Ｆの左縁部Ｌ１の中央から、撮影視野領域Ｆの中央部Ｐまで延ばされる。陰極線２７は、図４に示すように、中央部Ｐにおいて発光部２５Ｐを取り囲み、四角枠の右側に開口部２７Ｃが設けられた略Ｃ字形状に形成される。開口部２７Ｃには、発光部２５Ｐに接続されるための陽極線２６が通される。陰極線２７は、発光部２５Ｐを取り囲むＣ字形状部分から放射状に７本分岐され、各発光部近傍に通され、又は各発光部まで延ばされる。
【００３０】
図４に示すように、各発光部の有機ＥＬ層３３上に積層された陰極端子部２９は、その一部が有機ＥＬ層３３からはみ出している。そしてそのはみ出した部分が、発光部近傍に通され、又は発光部まで延ばされた陰極線２７の上面にも重ねられて積層され、これにより陰極端子部２９が陰極線２７に接続される。
【００３１】
陰極端子部２９は、例えばアルミニウム、インジウム、マグネシウム、カルシウム、チタニウム、イットリウム、リチウム、及びこれらの合金等の非透過性の陰極金属材料から形成される。したがって、各発光部は、被写体からの光を遮光する遮光表示部として形成され、観察者は各発光部を合焦ポイントとして認識することができる。また、これら陰極金属材料は相対的に仕事関数が低いので電子の注入性に優れ、有機ＥＬ層３３の発光効率を良好にすることができる。
【００３２】
陽極線２６、陰極線２７及び陽極端子部２８は例えばITO（Indium Tin Oxide）、ATO(antimony doped tindioxide)、ZnO（zinc oxide）等の透明導電性金属化合物から形成される。被写体からの反射光は陽極線２６及び陰極線２７を透過することができるので、ファインダー窓１７からこれら陽極線及び陰極線を通して、被写体を観察することができる。しかし、陽極線２６及び陰極線２７の透過率は１００％より低く、陽極線２６及び陰極線２７が設けられた部分は、陽極線２６及び陰極線２７が設けられない部分より透過率が低くなる。このような透過率の違いにより、被写体観察を行う際、陽極線２６及び陰極線２７はファインダー窓１７から視認される。したがって、本実施形態では、透明基板３１上に配線された陽極線２６及び陰極線２７が、上述した構図決定のための補助線として形成される。有機ＥＬ層３３は、陽極端子部２８側から順に例えば正孔輸送材料で構成される正孔輸送層、有機発光材料で構成される有機発光層、電子輸送材料で構成される電子輸送層等が積層されて構成され、例えば白、赤、緑、又は青色の光を発するように構成される。
【００３３】
次に、図３を用いて補助線の形成方法を詳述する。複数の陽極線２６のうち、４本の陽極線２６は撮影視野領域Ｆの４隅それぞれから１本ずつ、中央付近領域Ｃの４隅に設けられた発光部２５Ｃまで延びる。これとともに、これら発光部２５Ｃにはそれぞれ中央部Ｐから陰極線２７が延ばされ、これにより対角補助線Ｄ１、Ｄ２が形成される。
【００３４】
また、複数の陽極線２６のうち、２本の陽極線２６は、撮影視野領域Ｆの上縁部Ｌ２及び下縁部Ｌ３の中央それぞれから１本ずつ、中央付近領域Ｃの上縁部、下縁部の中央に設けられた発光部２５Ｕ、２５Ｄまで延びる。これとともに、これら発光部２５Ｕ、２５Ｄにはそれぞれ中央部Ｐから１本の陰極線２７が延ばされ、これにより垂直補助線Ｖが形成される。
【００３５】
複数の陽極線２６のうち、３本の陽極線２６は、撮影視野領域Ｆの右縁部Ｌ４の中央から、同一の水平線上に設けられた発光部２５Ｐ、２５Ｒ１、２５Ｒ２それぞれまで延び、それぞれ発光部２５Ｐ、２５Ｒ１、及び２５Ｒ２に接続される。一方、中央部Ｐからは、１本の陰極線２７が、発光部２５Ｒ１近傍を通って発光部２５Ｒ２まで延びる。
【００３６】
すなわち、図５に示すように、右縁部Ｌ４の中央と発光部２５Ｒ２との間、並びに発光部２５Ｒ１、２５Ｒ２の間には、３本の電極線が配線されるとともに、発光部２５Ｒ１、２５Ｐの間には、２本の電極線が配線されることとなる。
【００３７】
ここで、右縁部Ｌ４の中央と、発光部２５Ｒ２の間に延びる３本の電極線は、並列させられると共に、隣接する電極線同士の間隔が短くされ、ファインダー窓１７からこれら３本の電極線を見ると、１本の補助線として視認される。同様に、発光部２５Ｒ１、２５Ｒ２の間に延びる３本の電極線、並びに発光部２５Ｒ１、２５Ｐの間に延びる２本の電極線も同様に並列させられるとともに、隣接する電極線同士の間隔が短くされ、１本の補助線として視認される。すなわち、中央部Ｐと右縁部Ｌ４中央の間に配線された陽極線２６及び陰極線２７によって、水平補助線Ｈの右側部分が形成される。
【００３８】
１本の補助線において、並列して延びる電極線同士の間隔は２〜１０μｍであることが好ましい。隣接する電極線の間隔が１０μｍより大きくなると、各電極線が同一の補助線を形成していると視認されない恐れがある。また、２μｍより小さいと、電極間の絶縁性が確保されない恐れがある。
【００３９】
なお、上述したように、右縁部Ｌ４から延びる３本の陽極線２６のうち、１本の陽極線２６は発光２５Ｒ２まで延びるとともに、２本の陽極線２６は発光部２５Ｒ２近傍を通ってさらに左側に延ばされる。ここで、発光部２５Ｒ２近傍を通る２本の陽極線２６それぞれは、発光部２５Ｒ２において有機ＥＬ層３３に接触しないように、有機ＥＬ層３３の外周に沿って、コの字形状に延ばされる。なお、その他の発光部においても、その発光部近傍を通る陽極線２６及び陰極線２７は、有機ＥＬ層３３の外周に沿って、コの字形状に形成される。
【００４０】
図３に示すように撮影視野領域Ｆの左縁部Ｌ１中央からは、略同一の水平線上に、２本の陽極線２６それぞれが、発光部２５Ｌ２、発光部２５Ｌ１まで延びると共に、１本の陰極線２７が中央部Ｐまで延びる。そして、これら２本の陽極線２６と１本の陰極線２７は、水平補助線Ｈの右側部分と同様に並列して延ばされるとともに、電極線同士の間隔が短くされ、水平補助線Ｈの左側部分が形成される。
【００４１】
図５に示すように、右縁部Ｌ４と発光部２５Ｒ２の間に延びる各電極線の幅は、発光部２５Ｒ１と中央部Ｐの間に延びる各電極線の幅より小さく、これにより３本の電極線で構成される右縁部Ｌ４と発光部２５Ｒ２の間の補助線の幅Ｗ３は、２本の電極線で構成される発光部２５Ｒ１と中央部Ｐの補助線の幅Ｗ２と同一にされる。同様に、発光部２５Ｒ１と発光部２５Ｒ２の間に延びる補助線の幅Ｗ３’も、幅Ｗ２と同一にされる。
【００４２】
一方、上述した補助線Ｄ１、Ｄ２、Ｈは図４に示すように、１本の電極線によって構成されるが、この１本の電極線の幅（すなわち、補助線の幅）Ｗ１も幅Ｗ２と同一にされる。さらに、水平補助線Ｈの左側部分は、１〜３本の電極線が並列して構成されるが、水平補助線Ｈの左側部分の幅も全て幅Ｗ２と同一にされる。すなわち、本実施形態では、全ての補助線の幅が同一にされ、これにより、電極線によって形成された線が補助線として違和感なく観察され、見栄えの良い構図決定のための補助線が形成される。なお、各補助線の幅Ｗ１〜Ｗ３、Ｗ３’は、５０〜１５０μｍに設定される。
【００４３】
以上のように、本実施形態においては、従来被写体観察を妨げていた透明電極線が、規則的に補助線として配列されることにより、目立たなくなるとともに、簡単な構成で構図決定用補助線を描くことができる。
【００４４】
なお、本実施形態では、陽極線２６、及び陰極線２７は上述したように透明電極線から構成されるが、透明電極線の上に顔料、又は染料等を含む各種塗料、又はアルミニウム等の非透明金属材料が被膜され、半透明電極線又は非透明電極線として構成されても良い。このような構成によれば、各補助線がファインダー窓１７から観察者に視認されやすくなるからである。
【００４５】
図６〜８を用いて第２の実施形態について説明する。図６は、第２の実施形態に係る撮影視野領域Ｆを示す。本実施形態においては、補助線は、黄金分割線を描くための２本の水平補助線Ｈ１、Ｈ２、及び２本の垂直補助線Ｖ１、Ｖ２と、撮影視野領域Ｆの対角線となる２本の対角補助線Ｄ１、Ｄ２とから成る。水平補助線Ｈ１、Ｈ２は左縁部Ｌ１から右縁部Ｌ４まで水平に延びると共に、垂直補助線Ｖ１、Ｖ２は上縁部Ｌ２から下縁部Ｌ３まで垂直に延びる。一方発光部は、発光部２５Ｒ２、２５Ｌ２が設けられない以外は、第１の実施形態と同様に構成される。
【００４６】
図７に示すように、本実施形態でも第１の実施形態と同様に、陰極線及び陽極線によって上記補助線が形成される。詳述すると、撮影視野領域Ｆの上下左右それぞれの外縁部Ｌ１〜Ｌ４に設けられた所定の２点それぞれから、１本の陽極線２６が水平、又は垂直にそれぞれ延ばされ、計８本の陽極線２６が延ばされる。そして、その８本の陽極線２６のうち、４本の陽極線２６は、それぞれ中央付近領域Ｃの４隅の発光部２５Ｃまで延ばされ、この発光部２５Ｃに接続される。その他の４本の陽極線２８は、４隅の各発光部２５Ｃ近傍を通って、中央付近領域Ｃの上下左右の外縁部の中央に設けられる発光部２５Ｕ、２５Ｄ、２５Ｌ１、２５Ｒ１まで延ばされ、これら発光部に接続される。
【００４７】
陽極線２６は撮影視野領域Ｆの右下隅からも延ばされ、中央付近領域の右下隅の発光部２５Ｃ近傍を通った後、中央部Ｐの発光部２５Ｐまで延ばされ、発光部２５Ｐに接続される。
【００４８】
図７に示すように、陰極線２７は、上縁部Ｌ２の上記所定の２点のうち、右側の１点から、中央付近領域Ｃの右上隅に位置する発光部２５Ｃに垂直に延ばされる。そして、陰極線２７は、右上隅の発光部２５Ｃで３本の陰極線２７１〜２７３に分岐され、陰極線２７１は左方に水平に延び、陰極線２７２は下方に垂直に延び、陰極線２７３は、中央部Ｐに向けて、撮影視野領域Ｆの対角線上に延びる。
【００４９】
陰極線２７１は、中央付近領域Ｃの上縁部に沿って、発光部２５Ｕ近傍を通って、左上隅に設けられた発光部２５Ｃまで水平に延ばされ、中央付近領域Ｃの左縁部に沿って、発光部２５Ｌ１まで延ばされる。そして、陰極線２７１は、発光部２５Ｕ、左上隅に設けられた発光部２５Ｃ、発光部２５Ｌ１に電気的に接続される。
【００５０】
陰極線２７３は撮影視野領域Ｆの対角線に沿って、中央部Ｐに設けられた発光部２５Ｐ、左下隅の発光部２５Ｃ近傍を通り、中央付近領域Ｃの下縁部の中央の発光部２５Ｄまで延び、陰極線２７２はこれら発光部に電気的に接続される。陰極線２７２は、中央付近領域Ｃの右縁部に沿って、発光部２５Ｒ１近傍を通り、右下隅に設けられた発光部２５Ｃまで延び、これら発光部に電気的に接続される。
【００５１】
すなわち、本実施形態においても、９本の陽極線２６が、電源部から撮影視野領域Ｆの各発光部に延びるとともに、１本の陰極線２７が、電源部から撮影視野領域Ｆ内に延び、その１本の陰極線は適宜分岐され、各発光部に接続される。これにより、各発光部それぞれは独立に発光量及び発光の有無を制御することが可能になる。
【００５２】
陽極線２６、陰極線２７は、図８に示すように、各発光部２５Ｃ近傍を通るときは、第１の実施形態と同様に、その発光部２５Ｃを構成する有機ＥＬ層３３の外周に沿ってＬ字状またはコの字状に延びる。このような構成により、陽極線２６はその有機ＥＬ層３３に電気的に接続されないと共に、陰極線２７には陰極端子部２９を接続しやすくなる。
【００５３】
上記した陽極線２６、及び陰極線２７、２７１〜２７３によって、２本の水平補助線Ｈ１、Ｈ２、及び２本の垂直補助線Ｖ１、Ｖ２が形成される。また、対角補助線Ｄ１、Ｄ２の一部（すなわち、撮影視野領域Ｆの右下隅部から中央部Ｐまで延びる対角補助線、及び中央付近領域Ｃの右上隅と左下隅を結ぶ対角補助線）も上記陽極線及び陰極線によって形成されるが、対角補助線Ｄ１、Ｄ２のその他の部分は、陽極線２６及び陰極線２７によって形成されない。
【００５４】
そこで、本実施形態では、陽極線２６及び陰極線２７によって形成されない対角補助線Ｄ１、Ｄ２の一部を偽電極線３０で構成する。偽電極線３０は、電源部に接続されず、発光部を発光するために電流が流されることはないが、陽極線２６及び陰極線２７と同様に透明導電性金属化合物から形成され、陽極線２６、陰極線２７と同様の外観を呈する。
【００５５】
具体的には、偽電極線３０は、撮影視野領域Ｆの右上隅、左上隅、左下隅それぞれから、中央付近領域Ｃの右上隅、左上隅、左下隅まで延ばされると共に、中央付近領域Ｃの左上隅から中央部Ｐまで延ばされる。なお、各偽電極線３０は図８に示すように１本の電極線が延びて構成される。
【００５６】
図７、８から明らかなように、撮影視野領域Ｆの上縁部Ｌ１と発光部２５Ｒ１の間、並びに左上隅の発光部２５Ｃと発光部２５Ｕの間は２本の電極線が並列して補助線が形成されるとともに、その他の部分は１本の電極線によって補助線が形成される。本実施形態においても、上縁部Ｌ１と発光部２５Ｒ１の間、並びに左上隅の発光部２５Ｃと発光部２５Ｕの間の電極線の幅は、その他の補助線を構成する電極線の幅より小さくされ、これにより全ての補助線Ｄ１、Ｄ２、Ｖ、Ｈの幅Ｗが同一にされる。
【００５７】
以上のように、本実施形態においても、透明電極線が、規則的に配列されることにより、透明電極線が目立たなくなるとともに、特別な構成を用いて構図決定用補助線を描く必要がなくなる。さらに本実施形態では、偽電極線を用いることにより、簡単な構成でより多くの補助線を描くことができ、本実施形態のように中央付近領域Ｃを囲む黄金分割線を描くことができる。
【００５８】
なお、補助線の形状は、第１及び第２の実施形態の構成に限定されない。例えば、図９に示すように、垂直補助線Ｖ及び水平補助線Ｈそれぞれが３本以上設けられても良い。また、ファインダーが顕微鏡に適用される場合、図１０に示すように、垂直補助線及び水平補助線には目盛りが設けられると共に、中央部Ｐで途切れていても良い。勿論、第１及び第２の実施形態のように、上下方向及び左右方向に対称であることが好ましいが、左右方向及び（又は）上下方向に対称でなくても良い。
【００５９】
また、第１及び第２の実施形態において、中央付近領域Ｃの外周上に配置された発光部（例えば、発光部２５Ｃ）は、中央付近領域Ｃの外側又は内側に配置されていても良い。
【図面の簡単な説明】
【００６０】
【図１】カメラのファインダー装置の平面図である。
【図２】第１の実施形態におけるファインダー視野領域を示す模式図である。
【図３】第１の実施形態における発光表示部の平面図である。
【図４】各発光部の拡大図である。
【図５】水平補助線の右側部分の拡大図である。
【図６】第２の実施形態における撮影視野領域を示す模式図である。
【図７】第２の実施形態における発光表示部の平面図である。
【図８】第２の実施形態において、右上隅に設けられた発光部の拡大図である。
【図９】撮影視野領域の第１の変形例を示す模式図である。
【図１０】撮影視野領域の第２の変形例を示す模式図である。
【符号の説明】
【００６１】
１０  ファインダー装置
１６  発光表示部
１７  ファインダー窓
２５Ｃ、２５Ｐ、２５Ｌ１、２５Ｌ２、２５Ｒ１、２５Ｒ２、２５Ｕ、２５Ｄ  発光部
２６  陽極線
２７  陰極線
３０  偽電極線
３３  有機ＥＬ層
Ｃ  中央付近領域
Ｆ  撮影視野領域
Ｄ１、Ｄ２  対角補助線
Ｈ、Ｈ１、Ｈ２  水平補助線
Ｖ、Ｖ１、Ｖ２  垂直補助線
【図１】
2007333874.tif 000003
【図２】
2007333874.tif 000004
【図３】
2007333874.tif 000005
【図４】
2007333874.tif 000006
【図５】
2007333874.tif 000007
【図６】
2007333874.tif 000008
【図７】
2007333874.tif 000009
【図８】
2007333874.tif 000010
【図９】
2007333874.tif 000011
【図１０】
2007333874.tif 000012